(57)【要約】【課題】枢動タワーアセンブリを設置する方法を提供すること。【解決手段】本方法は、枢動タワーアセンブリが、地面に水平に平行に配向されている枢動ポールを有する組立て状態位置にある間に、少なくとも１つの電気部品を枢動タワーアセンブリの枢動ポール上に取り付けるステップと、少なくとも１つの電気部品からの電線を配線ハーネスに接続して、電線が枢動ポール内で進行することを可能にするステップと、少なくとも１つの取付け済み電気部品と共に、組立て状態位置から直立垂直状態位置まで、地面に平行な軸を中心として枢動ポールを枢動させるステップとを含む。【選択図】図１
2019157616.tif 000002
【特許請求の範囲】
【請求項１】
枢動タワーアセンブリを設置する方法であって、
前記枢動タワーアセンブリが、水平にかつ地面に平行に配向されている枢動ポールを有する組立て状態位置にある間に、少なくとも１つの電気部品を前記枢動タワーアセンブリの前記枢動ポール上に取り付けるステップと、
前記少なくとも１つの電気部品からの電線を配線ハーネスに接続して、前記電線が前記枢動ポール内で進行することを可能にするステップと、
少なくとも１つの取付け済み電気部品と共に、前記組立て状態位置から直立垂直状態位置へ、前記地面に平行な軸を中心として前記枢動ポールを枢動させるステップと
を含む、方法。
【請求項２】
前記少なくとも１つの電気部品は、太陽電池パネル、電池ボックス、およびアンテナから成る群から少なくとも１つ選択される、請求項１に記載の方法。
【請求項３】
前記少なくとも１つのポールを前記直立状態位置へ枢動させる前記ステップは、１人の人により実施される、請求項１に記載の方法。
【請求項４】
前記少なくとも１つの電気部品を取り付ける前記ステップの前に、複数の４フィートポールを隣接することにより、前記枢動ポールを組み立てるステップをさらに含む、請求項１に記載の方法。
【請求項５】
前記枢動タワーアセンブリは、前記枢動ポールに隣接した２つの垂直固定ポールをさらに含み、前記直立状態位置にある前記枢動ポールは前記２つの垂直固定ポール間に配置されている、請求項１に記載の方法。
【請求項６】
前記枢動タワーアセンブリは、前記枢動ポール用の枢動機構を含む基部を含み、前記２つの垂直固定ポールは前記基部より低く、前記地面内へ延在している、請求項５に記載の方法。
【請求項７】
前記基部と前記２つの垂直固定ポールと前記枢動ポールとの間に穴部が形成されるように、前記配線ハーネスを含む前記枢動ポールの底端部が、前記枢動タワーアセンブリの前記基部より高く配置されている、請求項６に記載の方法。
【請求項８】
前記枢動ポールが前記直立状態位置にある間に、前記穴部は、前記枢動ポール内での前記配線ハーネスへの電線の接続を可能にする、請求項７に記載の方法。
【請求項９】
垂直上向き方向に、少なくとも２０フィート（６．０９６ｍ）の空間距離を有する穴部を配置するステップと、
前記基部および前記垂直固定ポールを別々に組み立てるステップと、
前記基部と前記垂直固定ポールとを互いに結合するステップと、
結合済み基部および垂直固定ポールを前記穴部内に設置するステップと
をさらに含む、請求項６に記載の方法。
【請求項１０】
少なくとも１つの回転ブラケットを使用して、前記枢動ポールを前記垂直状態位置に係止するステップ
をさらに含む、請求項１に記載の方法。
【請求項１１】
枢動ポールが、水平かつ地面に平行に配向されている組立て状態位置から、前記枢動ポールが垂直かつ前記地面に対して直角を成して配向されている直立状態位置まで、枢動するように構成されている枢動ポールと、
前記枢動ポールが中心として枢動する枢動機構を含む基部と、
前記枢動ポールが前記組立て状態位置にある時に前記枢動ポール上に取り付けられる少なくとも１つの電気部品と
を含み、
前記枢動ポールは、前記枢動ポール内での前記少なくとも１つの電気部品からの少なくとも１つの電線の進行を容易にするように構成されている配線ハーネスを含む、
枢動タワーアセンブリ。
【請求項１２】
前記枢動ポールに隣接した少なくとも２つの垂直固定ポールであり、前記直立状態位置にある前記枢動ポールが前記２つの垂直固定ポール間に配置されている、少なくとも２つの垂直固定ポール
をさらに含み、
前記２つの垂直固定ポールは前記基部より低く、前記地面内へ延在している、
請求項１１に記載の枢動タワーアセンブリ。
【請求項１３】
前記基部と前記２つの垂直固定ポールと前記枢動ポールとの間に穴部が形成されるように、前記配線ハーネスを含む前記枢動ポールの底端部が前記枢動タワーアセンブリの前記基部より高く配置されている、請求項１２に記載の枢動タワーアセンブリ。
【請求項１４】
前記枢動タワーアセンブリは沿道に設置され、前記少なくとも１つの電気部品はデータ収集に使用される、請求項１１に記載の枢動タワーアセンブリ。
【請求項１５】
前記少なくとも１つの電気部品は、太陽電池パネル、電池ボックス、およびアンテナから成る群から少なくとも１つ選択される、請求項１１に記載の枢動タワーアセンブリ。
【請求項１６】
前記少なくとも１つのポールを直立状態位置へ枢動させる前記ステップは、１人の人により実施される、請求項１１に記載の枢動タワーアセンブリ。
【請求項１７】
前記枢動ポールは、前記枢動ポールを組み立てる、隣接した複数の４フィートポールを含む、請求項１１に記載の枢動タワーアセンブリ。
【請求項１８】
前記枢動ポールを前記直立状態位置内に係止するアール加工溝を含む回転ブラケット
をさらに含む、請求項１１に記載の枢動タワーアセンブリ。
【発明の詳細な説明】
【技術分野】
【０００１】
関連出願の相互参照
本願は、米国特許法１２０条（３５  Ｕ．Ｓ．Ｃ．  §１２０）の下で、２０１７年１１月１６日に出願された「枢動タワーアセンブリ（Pivoting Tower Assembly）」という名称の意匠出願第２９／６２６，３３４号の一部継属出願として、利益を主張するものである。
【背景技術】
【０００２】
重機を使用する技術者または建設作業員のチームにとって、データ収集用の高いポールを沿道に沿って設置することは一般的なことである。これらのポールは、ポールが立てられた後に太陽電池パネル、アンテナ、および他の設備が取り付けられてもよく、直立ポールの最上部に手動で到達することができる上昇機械（elevation machinery）を必要とすることが多い。
【発明の概要】
【課題を解決するための手段】
【０００３】
概して、一態様では、本発明は、枢動タワーアセンブリが、地面に水平に平行に配向されている枢動ポールを有する組立て状態位置にある間に、枢動タワーアセンブリの枢動ポール上に少なくとも１つの電気部品を取り付けるステップと、少なくとも１つの電気部品からの電線を配線ハーネスに接続して、電線が枢動ポール内で進行することを可能にするステップと、少なくとも１つの取付け済み電気部品と共に、組立て状態位置から直立垂直状態位置まで、地面に平行な軸を中心として枢動ポールを枢動させるステップとを含む、枢動タワーアセンブリを設置する方法に関する。
【０００４】
概して、一態様では、本発明は、枢動ポールが地面に水平に平行に配向されている組立て状態位置から、枢動ポールが地面に対して垂直に直立に配向されている直立状態位置まで、枢動するように構成されている枢動ポールと、枢動ポールが中心として枢動する枢動機構を含む基部と、枢動ポールが前記組立て状態位置にある場合に枢動ポールに取り付けられる少なくとも１つの電気部品とを含み、枢動ポールは、枢動ポール内での前記少なくとも１つの電気部品からの少なくとも１つの電線の進行を容易にするように構成されている配線ハーネスを含む、枢動タワーアセンブリに関する。
【０００５】
本発明の他の態様が以下の説明および添付の特許請求の範囲から明らかになるであろう。
【図面の簡単な説明】
【０００６】
【図１】本発明の１つまたは複数の実施形態による、組立てのために水平状態位置にある枢動タワーアセンブリの側面図である。
【図２】本発明の１つまたは複数の実施形態による、組立て後、垂直状態位置にある枢動タワーアセンブリの斜視図である。
【図３】本発明の１つまたは複数の実施形態による、枢動タワーアセンブリ内の２つの連結点の図、および２つの連結点のうちの１つの拡大図である。
【図４Ａ】本発明の１つまたは複数の実施形態による、枢動ポールを垂直に保持する回転ブラケットの図である。
【図４Ｂ】本発明の１つまたは複数の実施形態による、枢動ポールを垂直に保持する回転ブラケットの図である。
【図４Ｃ】本発明の１つまたは複数の実施形態による、枢動ポールを垂直に保持する回転ブラケットの図である。
【図５】本発明の１つまたは複数の実施形態による、水平組立て状態位置にある枢動タワーアセンブリの寸法の図である。
【図６】本発明の１つまたは複数の実施形態による、枢動タワーアセンブリの様々な電気部品の例示的寸法の図である。
【図７】本発明の１つまたは複数の実施形態による、枢動タワーアセンブリを組み立て、直立させるためのフローチャートである。
【発明を実施するための形態】
【０００７】
本発明の特定の実施形態が、ここで、添付図面を参照して詳細に説明される。一貫性を保つために、様々な図の同様の要素が同様の参照番号で示されている。簡潔にするために、同様の要素が全図において標示されていない可能性がある。
【０００８】
本発明の実施形態の以下の詳細な説明では、本発明のより完全な理解をもたらすために、数字の特定の詳細が記載されている。しかし、当業者には当然のことながら、本発明は、これら特定の詳細なしで実践され得る。換言すれば、説明を不必要に複雑にすることを回避するために、周知の特徴は詳細に記載されていない。
【０００９】
本願を通じて、序数（例えば、第１の、第２の、第３の等）が、要素（すなわち、本願における任意の名詞）の形容詞として使用されている可能性がある。序数の使用は、用語「before（前に）」、「after（後に）」、「single（単一の）」、および他のそのような専門用語の使用よるなど、明示的に開示されていない限り、要素の特定の順序付けを暗示しないかもしくは生み出さず、またはいかなる要素が１つだけの要素であることも制限しない。むしろ、序数の使用は要素間で区別するためのものである。例として、第１の要素が第２の要素と区別され、該第１の要素は２つ以上の要素を包含する可能性があり、要素の順序付けにおいて第２の要素の後に続く（または先行する）可能性がある。
【００１０】
図１〜図７に関する以下の説明では、本発明の様々な実施形態において、図に関して記載されているいかなる構成要素も、任意の他の図に関して記載されている１つまたは複数の同様に名付けられた構成要素と同等である可能性がある。簡略化するために、これらの構成要素の説明は各図に関して反復されない。したがって、各図の構成要素の各実施形態およびあらゆる実施形態が、１つまたは複数の同様に名付けられた構成要素を有するあらゆる他の図内に参照により組み込まれ、随意に存在すると考えられる。さらに、本発明の様々な実施形態によれば、図の構成要素の任意の説明が、任意の他の図の対応する同様に名付けられた構成要素に関して記載されている実施形態に加えて、それと併せて、またはそれの代りに実施され得る、随意の実施形態と見なされるべきである。
【００１１】
明白に別段の指示がある場合を除いて、単数形「ａ」、「ａｎ」および「ｔｈｅ」が複数の指示対象を含むことが理解されるべきである。したがって、例えば、「水平ビーム」への言及がそのようなビームの１つまたは複数への言及を含む。
【００１２】
記載されている特性、パラメータ、または値が厳密に達成される必要がないが、例えば公差、測定誤差、測定精度限界、および当業者に既知の他の要因を含む偏差または変動が、特性がもたらすことを目的としていた影響を妨げないない量で発生し得ることを、「おおよそ／約（approximately）」、「実質的に（substantially）」等の用語が意味する。
【００１３】
複数の従属請求項が紹介されていなくても、当業者には当然のことながら、１つまたは複数の実施形態の従属請求項の発明の対象は他の従属請求項と組み合わせられ得る。
【００１４】
概して、本発明の実施形態は、枢動タワーアセンブリを組立て、直立させる方法に関する。さらに、本発明の実施形態は、沿道に設置される／直立させられる、かつ様々な用途のためのデータ収集に使用され得る複数のポールを有する枢動タワーアセンブリに関する。より詳細には、本発明の実施形態が、重機または他の設置設備の助けなしで、１人の人により設置される／直立させられる枢動タワーアセンブリを提供する。該枢動タワーアセンブリは、直立の前に、水平状態位置において組み立てられてもよく、タワーアセンブリ上にデータ収集設備を取り付けた後にアセンブリを立たせる容易に操作可能な方法のための枢動機構を備え付けられている。
【００１５】
図１は、本発明の１つまたは複数の実施形態による、組立て状態位置にある枢動タワーアセンブリ（１００）を示す。１つまたは複数の実施形態では、該枢動タワーは、並んで設置されている少なくとも３つのポールで構成されており、２つの垂直固定ポールが中央枢動ポールの両側にある。該３つのポールは基部（１０４）上に設置されている。当業者には当然のことながら、図１は一側面からの図を示し、２つの垂直固定ポールのうちの１つだけが見えており、該中央枢動ポール（１０２）は水平状態位置にある。
【００１６】
枢動タワーの組立て状態位置は、中央枢動ポール（１０２）が地面に水平で平行である状態位置として定義される。該組立て状態位置は、随意に存在する、図１に点線で示されている中央枢動ポール上への様々な電気／電子部品の設置し易さを可能にする。例えば、組立て状態位置にある枢動ポール上に設置され得る電子部品が、太陽電池パネル（１０６）、電池ボックス（１０８）、および１つまたは複数のアンテナ（１１４）を含み得るが、それらに限定されない。それらが枢動ポールに取り付けられる可能性がある随意の構成要素であるため、これらは図１に点線で示されている。
【００１７】
１つまたは複数の実施形態では、枢動ポール（１０２）の底部は穴部を有し、そこには配線ハーネス（１１２）が設置され得る。該配線ハーネス（１１２）は、取り付けられた部品への電線が枢動ポール（１０２）内で進行することを可能にする。当業者には当然のことながら、配線ハーネスは、該配線ハーネスが枢動タワーアセンブリの組立て状態位置（図１）および直立状態位置（図２）の両方においてアクセスできるように設置され得る。図１では、電線（１１０）が、枢動ポールの底端部から外へ出てきておりかつ電池ボックス（１０８）に接続されて示されている。当業者には当然のことながら、複数の電線が配線ハーネス（１１２）に接続されてもよく、枢動ポール（１０２）上に取り付けられている１つまたは複数の部品へ進行してもよい。
【００１８】
１つまたは複数の実施形態では、基部（１０４）の真上の、３つのポールの連結部に枢動機構（１１６）が存在する。該枢動機構は、ねじ、ボルト、ばね、または枢動ポール（１０２）が組立て状態位置（図１）から直立状態位置（図２）まで枢動することを可能にする他の接続機構の、任意の組合せであってもよい。例えば、枢動機構は回り継ぎ手機構および傾斜機構、２端部の係止可能な機構、または軸を中心とした回転点を有する任意の他の適切な機構であってもよい。
【００１９】
図１に示されていないが、２つの垂直固定ポールが枢動ポールの側面に立ち、基部（１０４）に取り付けられている。該垂直固定ポールは枢動しない。むしろ、それらは、枢動ポール（１０２）のどちらの側にも１つ、定位置に固定されており、４フィート（１．２１９ｍ）の長さの、１つまたは複数のセグメントであり得る。当業者には当然のことながら、基部（１０４）は地面自体の中に進行してもよく、または地面で停止してもよく、一方、枢動ポールに隣接した２つの垂直固定ポールは地面内へ進行する。枢動ポールに隣接した垂直固定ポールは、例えば図２および図３に認められる可能性がある。
【００２０】
１つまたは複数の実施形態では、枢動ポールおよび枢動ポール上に取り付けられる部品の目的は、周囲領域に関するデータを収集することであり得る。例えば、車両の車載ユニット（OBU: On Board Unit）に関与して、時間、速度、位置などの交通情報を取得する路側機（DSRC）路側ユニット（RSU: Roadside Unit）が枢動ポールに取付けられてもよく、そのようなデータを定期的に収集してもよい。別の例では、太陽電池パネルが、高速道路に亘るエネルギー生成のために取り付けられてもよい。
【００２１】
図２は、１つまたは複数の実施形態による、組立て済み状態または直立状態にある枢動タワーアセンブリを示す。具体的には、図２は、組み立てられ、データを収集する準備ができている、直立状態位置にある枢動ポールを示す。本発明の１つまたは複数の実施形態では、直立状態位置は、地面に対して直角を成す垂直状態位置である。図２では、枢動ポール（１０２）は、該ポール（１０２）上に取り付けられている随意の電子部品を備えて、ポールの最上部の所のアンテナ（１１４）を備えて、示されている。直立状態位置にある枢動ポール（１０２）は、１２フィート（３．６５８ｍ）〜３０フィート（９．１４４ｍ）の間のとすることができる。当業者には当然のことながら、枢動ポールの垂直寸法は太陽電池パネルの大きさおよび管の直径の関数であり得る。より大きな管直径またはより小さい太陽電池パネルが、枢動ポールが垂直により高くなることを可能にする。図２により明瞭に認められる通り、枢動ポールの側面には、２つの垂直固定ポール（２１０）が、枢動ポール（１０２）の各側に１つずつ立っていてもよい。
【００２２】
直立垂直状態位置では、枢動ポールの底部と基部との間に、垂直状態位置にある枢動ポールの下に間隙（２０４）が存在するように、枢動ポール（１０２）は基部（１０４）の上方で終端する。２つの垂直固定隣接ポールは、さらに下方へ基部内へ続くが、枢動ポールは、基部の前に、最後の連結部の手前で留まる。１つまたは複数の実施形態では、枢動ポールが直立状態位置にある場合、間隙（２０４）は、枢動ポールの底部で、電線を配線ハーネス（図示せず）内へまたはそれから外へ挿入し／進行させるのに使用され得る。さらに、この間隙（２０４）は、他の、沿道に設置されるポールが示さない、枢動タワーアセンブリの分かり易い特徴であり得る。
【００２３】
図３は、１つまたは複数の実施形態による、枢動タワーアセンブリを構成する複数のセグメントを示す。具体的には、図３は、枢動タワーアセンブリが垂直状態位置にある場合の、アセンブリの複数のセグメントを示し、そこでは各セグメントの寸法が同一である。各セグメントはアセンブリの別個の部分であり、別のセグメントに連結されて、枢動ポールと、該枢動ポールの両側の２つの垂直固定ポールとを形成している。換言すれば、枢動ポールと２つの垂直固定ポールとは、ポールセグメントを互いに取り付けることにより構築されている。本例では、枢動ポールは４つのセグメント（３０２、３０４、３０６、３０８）を有し、枢動ポールの両側の２つの垂直固定ポールは２つのセグメント（３０８、３１０）を有する。したがって、全３つのポールが含まれているちょうど１つのセグメント、すなわちセグメント４（３０８）が存在し、そこで枢動ポール（１０２）は終端し、２つの垂直固定隣接ポールは開始する。当業者には当然のことながら、本発明の範囲から逸脱することなく、枢動タワーアセンブリ内に任意の数のセグメントが存在し得る。セグメント４（３０８）は２つの連結部（３００）および（３０２）を含む。連結部（３００）の拡大図が図３の右側に示されており、セグメントの取付けがより容易に目に見える。連結部（３０２）は枢動機構（１１６）を含む。枢動ポールの底部の下の上述の間隙は連結部（３０２）の上方に形成されている。図３に認められる通り、枢動ポールは連結部（３０２）内の枢動機構（１１６）の所で終端する。その下で、セグメント５（３１０）内に、基部および２つの隣接した垂直固定ポールのみが地面に向かってかつ地面内まで続いている。
【００２４】
図４Ａ〜図４Ｃは、枢動ポールを垂直直立状態位置に保持するように構成されている回転ブラケット（４００）の例を示す。１つまたは複数の実施形態では、ブラケットは回転して、枢動ポールが垂直に直立して移動しかつ次いで再度回転して戻り、所定の位置に係止することを可能にする。図４Ａに認められる通り、詳細Ａが開状態位置にあるブラケットを示す。該ブラケットは、ブラケットが回転することを可能にするアール加工溝を含む。このことは図４Ｂの詳細Ｅにも認められる。さらに、該山形はポールを定位置に保つ強度をもたらす。ブラケットの設計は、ポールを垂直に上方に枢動させると、１人の人間の設置者が枢動ポールを所定の位置に迅速に係止するのを助ける。図４Ｃの詳細Ａは閉係止状態位置にあるブラケットを示す。
【００２５】
前述されている通り、図５は、１つまたは複数の実施形態による、枢動タワーアセンブリのセグメント（５００）の水平寸法を示す。図５に示されている通り、枢動タワーアセンブリのセグメント（５００）は標準的な４フィート（４−ｆｔ）ポールを含む。結合するために容易にアクセスできる複数のそのような標準的な４−ｆｔポールが取り付けられて、枢動ポールと２つの隣接垂直固定ポールとを形成する。これは枢動タワーの組立て易さを可能にする。当業者には当然のことながら、図示の寸法はフィート（単位）で与えられている。
【００２６】
図６は、本発明の１つまたは複数の実施形態による枢動タワーアセンブリ上に取り付けられ得る電気／電子部品の例示的寸法を示す。具体的には、太陽電池パネル（６０４）、アンテナアセンブリ（６０２）、および電池ボックス（６０６）の例示的寸法が示されている。該太陽電池パネル（６０４）は、ポール上に取り付けられた場合、約５８インチ（１．４７３ｍ）の長さである可能性がある。電池ボックス（６０６）の高さは１９．５９インチ（４９．７６ｃｍ）であり、一方、幅は１８．４２インチ（４６．７９ｃｍ）である。電池ボックスの大きさは１８”×１８”×１２”（４５．７２ｃｍ×４５．７２ｃｍ×３０．４８ｃｍ）であり、それはデッキを約１８”（４５．７２ｃｍ）下回っている。１つまたは複数の実施形態では、基部から最上部までのタワーアセンブリは、約１９２インチ（１６フィート）（４．８７７ｍ）の垂直寸法を有するように示されている。
【００２７】
図７は、本発明の１つまたは複数の実施形態による、枢動タワーアセンブリを組み立てるためのフローチャートを示す。該フローチャートに示されているステップの１つまたは複数が省略され、反復され、かつ／または図示の順序と異なる順序で実施されてもよいことが理解されるべきである。したがって、本発明の範囲は、フローチャートに示されているステップの特定の配列に限定されると考えられるべきではない。
【００２８】
最初に、ステップ７００では、垂直上向き方向に２０フィート（６．０９６ｍ）の最小空間距離を有する穴部が配置され得る。そのような空間距離は、枢動ポールが、組立ておよびメンテナンスのために下に、かつ直立垂直状態位置まで上に、回転することを可能にする。ステップ７０２では、基部構造体と、枢動ポールの両側に２つの垂直固定ポールを含む枢動ポール構造体とが別々に組み立てられ、結合されてもよい。基部構造体および枢動構造体は、次いで、ステップ７００において配置された、地面の穴部内に設置される。１つまたは複数の実施形態では、設置が、構造体の周囲にコンクリートを流し込むステップを含み、構造体が垂直であることを確実にする。当業者には当然のことながら、該コンクリートは、任意のハードウェアがタワーアセンブリ上に設置される前に、一晩固められなければならない。
【００２９】
次に、枢動タワーアセンブリは組立て状態位置に配置され、枢動中央ポールは地面に平行な水平配向にある。組立て状態位置では、少なくとも１つの電気部品が枢動ポール上に取り付けられる（ステップ７０４）。前述されている通り、該電気部品は電池ボックス、アンテナ、または太陽電池パネルである可能性がある。１つまたは複数の実施形態では、電池ボックスは最初に、ポールの固定部にすなわち図３のセグメント４とセグメント５との間に取り付けられてもよい。
【００３０】
ステップ７０６では、取付け済み電気部品の１つまたは複数からの少なくとも１つの電線が、枢動ポールの基部で、配線ハーネスに接続される。具体的には、ケーブルが、ステップ７０４において設置された電池ボックスに接続されてもよい。１つまたは複数の実施形態では、配線ハーネスは枢動ポールの底部上に固定されており、枢動ポール上に取り付けられ得る同数の電気部品への枢動ポールを通る電線の進行を容易にする。１つまたは複数の実施形態では、電線は、全面的に組立て状態位置にある間に、４−ｆｔポールが互いにボルトで留められて枢動ポールの全体を形成する前に、各４−ｆｔポール内で進行し得る。
【００３１】
この段階で、任意の他の電気部品が枢動ポール上に取り付けられる必要があるかどうかに関して決定が成される（ステップ７０８）。例えば、太陽電池パネルは、垂直状態位置にある場合、地面から６フィート（１．８２９ｍ）で設置されてもよい。太陽電池パネルケーブルは、ジップタイを用いて、ポールの側面上に経路を定められてもよい。最後に、ゲートウェイ（アンテナ）は、ブラケットおよびねじを使用して、枢動ポールの最上部に向かって設置されてもよい。したがって、ステップ７０４〜ステップ７０６は必要に応じて反復される。全電気部品が取り付けられたら、工程はステップ７１０へ移行する。
【００３２】
ステップ７１０では、枢動ポールは、直立垂直状態位置へ、地面に平行な軸を中心として枢動する。１つまたは複数の実施形態では、直立垂直状態位置にある枢動ポールは、中央枢動ポールの両側の２つの隣接した垂直ポールと一致している。ステップ７１０の一部として、枢動ポールは、前段で図４Ａ〜図４Ｃに示されている１つまたは複数のブラケットを用いて、垂直状態位置内に係止され得る。１つまたは複数の実施形態では、ステップ７０８は、いかなる追加の道具、設備、または人手も用いずに、１人の人間により実施される。このことは、ポールが、ポールの高さおよびポールに取り付けられる電気部品の数に関わらず、回転ブラケットを使用して、一人の人により直立状態位置へ枢動し、迅速に定位置に係止されることが可能であるため、有利である。
【００３３】
当業者には当然のことながら、枢動タワーアセンブリは、データ収集の目的で、任意のタイプの地理的位置（都市、農場、田舎等）の任意の沿道上に設置され得る。さらに、前述されている通り、枢動ポールの設置は、最低でも２日に亘って実施されてもよく、重機／道具を使用することなく、１人の人間により設置され得る。
【符号の説明】
【００３４】
１００  枢動タワーアセンブリ
１０２  中央枢動ポール、枢動ポール
１０４  基部
１０６、６０４  太陽電池パネル
１０８、６０６  電池ボックス
１１０  電線
１１２  配線ハーネス
１１４  アンテナ
１１６  枢動機構
２０４  間隙
２１０  垂直固定ポール
３００  連結部
３０２、３０４、３０６、３０８、３１０、５００  セグメント
４００  回転ブラケット
６０２  アンテナアセンブリ
７００、７０２、７０４、７０６、７０８、７１０  ステップ
【図１】
2019157616.tif 000003
【図２】
2019157616.tif 000004
【図３】
2019157616.tif 000005
【図４Ａ】
2019157616.tif 000006
【図４Ｂ】
2019157616.tif 000007
【図４Ｃ】
2019157616.tif 000008
【図５】
2019157616.tif 000009
【図６】
2019157616.tif 000010
【図７】
2019157616.tif 000011
【外国語明細書】
2019157616000001.pdf